(57)【要約】      （修正有）【課題】医療冷蔵庫又はフリーザーに保管している医療用品を管理制御するためのシステムを提供する。【解決手段】読み取り器１０と、それぞれ読み取り器１０に接続され、且つ医療冷蔵庫又はフリーザーの外側の異なる位置に設置された少なくとも二つのアンテナー１Ａ、１Ｂと、医療用品に付着され、対応する医療用品の識別コードが格納された電子タグ３１、３２、３３と、読み取り器に接続された処理ユニット４０を備え、当該処理ユニット４０は読み取り器がアンテナー１Ａ、１Ｂを通じて読み取った医療用品の識別コードを受信し、且つアンテナー１Ａ、１Ｂの設置場所及びそのビームのカバー範囲に基づき保管空間における当該医療用品の具体的な位置を判断することで、使用者が迅速に当該医療用品を探すことができるようにする。【選択図】図１
0003178858.tif 000002
【実用新案登録請求の範囲】
【請求項１】
医療冷蔵庫又はフリーザーに保管している医療用品を管理制御するためのシステムであって、
読み取り器と、
それぞれ読み取り器に接続され、且つ医療冷蔵庫又はフリーザーの外側の異なる位置に設置された少なくとも二つのアンテナーと、
医療冷蔵庫又はフリーザーの保存空間内に保存している医療用品に付着し、対応する医療用品の識別コードが格納された電子タグと、
前記読み取り器に接続された処理ユニットであって、前記読み取り器が前記アンテナーを通じて読み取った医療用品の識別コードを受信し、前記アンテナーの設置場所及びその信号のカバー範囲に基づき前記保管空間における当該医療用品の具体的な位置を判断することで、使用者が迅速に当該医療用品を探すことができるものと、
を備えたことを特徴とする医療冷蔵庫又はフリーザーに保管している医療用品を管理制御するためのシステム。
【請求項２】
電子タグにはさらに温度センサーが内蔵され、
前記処理ユニットはさらに前記読み取り器が前記アンテナーを通じて読み取った温度センサーにより検出した温度を受信するのに用いられ、且つ検出した温度に基づき冷蔵又は冷凍の環境温度がデフォルトの温度範囲を上回っているか否かを判断すると同時に、デフォルトの温度範囲を上回った時には警告情報を出力する、
ことを特徴とする請求項1に記載のシステム。
【請求項３】
前記警告情報は携帯警告情報、ネットワーク警告情報、オーディオ情報又は文字情報を含む、
ことを特徴とする請求項2に記載のシステム。
【請求項４】
前記電子タグにはさらに対応する医療用品の余量が格納され、
前記処理ユニットはさらに読み取り器が前記アンテナーを通じて読み取った医療用品の余量の受信に用いられ、且つ受信した医療用品の余量に基づき当該医療用品が十分に利用されているか否かを判断することによりコストに対し管理制御を行う、
ことを特徴とする請求項1に記載のシステム。
【請求項５】
前記電子タグにはさらに対応する医療用品の有効期限が格納され、
前記処理ユニットはさらに読み取り器が前記アンテナーを通じて読み取った医療用品の有効期限の受信に用いられ、且つ受信した有効期限に基づき有効期限に達しているか否かを判断し、且つ有効期限に達する時に提示情報を表示する、
ことを特徴とする請求項1に記載のシステム。
【請求項６】
処理ユニットはさらに前記医療冷蔵庫又はフリーザーの電源オフ時間を記録するのに用いられ、且つ前記電源が回復する時に前記電源オフ期間と電源回復時に採取した温度を通知する、
ことを特徴とする請求項1に記載の医療冷蔵庫又はフリーザーに保管している医療用品を管理制御するためのシステム。
【請求項７】
音声、言語音、ショートメッセージ又は有線／無線ネットワークの方式により通知を発する、
ことを特徴とする請求項6に記載のシステム。
【請求項８】
前記医療用品は薬品、試薬、ワクチン等を含み、
前記処理ユニットはリモートコンピューターである、
ことを特徴とする請求項1に記載のシステム。
【請求項９】
前記医療冷蔵庫又はフリーザーは幾つかの段に分けられている、
ことを特徴とする請求項1に記載のシステム。
【請求項１０】
さらに高周波マルチプレクサーを備え、
前記高周波マルチプレクサーの一端は読み取り器に接続され、他端は指示された任務に基づき医療冷蔵庫又はフリーザーの対応する段に設置されたアンテナーを選択且つそれに接続されている、
ことを特徴とする請求項9に記載のシステム。
【考案の詳細な説明】
【技術分野】
【０００１】
本考案は電波による個体識別（Ｒａｄｉｏ  Ｆｒｅｑｕｅｎｃｙ  Ｉｄｅｎｔｉｆｉｃａｔｉｏｎ、ＲＦＩＤ）の技術分野に関わり、より具体的には医療冷蔵庫又はフリーザーに保管している医療用品を管理制御するためのシステムに関する。
【背景技術】
【０００２】
医療システムにおいて、例えば薬品、試薬又はワクチン等の一部の医療用品は医療冷蔵庫又はフリーザーに保管する必要がある。しかし、目下、医療冷蔵庫又はフリーザーの中の医療用品に対する制御管理は医療冷蔵庫又はフリーザーの温度に対するだけで、このような管理制御方法はあまりにも簡単で、例えば、作業員がある一種類の医療用品を取り出す時には大量の時間を使ってようやく当該医療用品の位置を探すことができ、このように医療冷蔵庫又はフリーザーをあまり長く開くことにより、冷却空気を大量に流失させ、温度が上昇することにより、他の医療用品の品質及び治療効果に影響を与える。
【考案の概要】
【考案が解決しようとする課題】
【０００３】
本考案の目的は、既存技術における上述した大量の時間を使ってようやく医療用品の場所を探すことができる欠陥に対し、医療冷蔵庫又はフリーザーに保管している医療用品を制御管理するためのシステムを提供することで、迅速に医療用品を探すことができる。
【課題を解決するための手段】
【０００４】
上述した技術問題を解決するための本考案の技術方案は医療冷蔵庫又はフリーザーに保管している医療用品を管理制御するためのシステムであって、読み取り器、それぞれ読み取り器に接続され、且つ医療冷蔵庫又はフリーザーの外側の異なる位置に設置された少なくとも二つのアンテナー、医療冷蔵庫又はフリーザーの保存空間内に保存している医療用品に付着し、対応する医療用品の識別コードが格納された電子タグと、前記読み取り器に接続された処理ユニットを備え、前記処理ユニットは読み取り器が前記アンテナーを通じて読み取った医療用品の識別コードを受信するのに用いられ、且つ前記アンテナーの設置場所及びそのビームのカバー範囲に基づき前記保管空間における当該医療用品の具他的な位置を判断することで、使用者が迅速に当該医療用品を探すことができるようにする。
【０００５】
本考案を実施すれば、使用者が迅速にある医療用品を探すことができ、これにより医療用品を探す時間を縮小することができ、医療冷蔵庫又はフリーザーをあまり長く開くことにより、冷却空気を大量に流失させ、温度が上昇することにより、医療冷蔵庫又はフリーザーに保管している他の医療用品の品質及び治療効果に影響を与えることを避ける。
【０００６】
このほか、作業者は処理ユニットからある医療用品が十分に運用されているか否かを把握することによりコストに対する管理制御を行うことができ、さらにある医療用品がもうすぐ期限切れが否か、及びある医療用品の冷蔵又は冷凍環境の温度がデフォルトの温度範囲を上回っているか否か等の情報を把握することができる。
【図面の簡単な説明】
【０００７】
【図１】本考案の実施例に係る医療冷蔵庫又はフリーザーに保管している医療用品を管理制御するためのシステムのロジック構造図である。
【図２】医療冷蔵庫又はフリーザーの構造図である。
【図３】本考案のもう一つの実施例に係る医療冷蔵庫又はフリーザーに保管している医療用品を管理制御するためのシステムのロジック構造図である。
【図４】本考案の実施例に係る医療冷蔵庫又はフリーザーに設置された第一種類のアンテナー配列レイアウト図。
【図５】本考案の実施例に係る医療冷蔵庫又はフリーザーに設置された第二種類のアンテナー配列レイアウト図。
【図６】本考案の実施例に係る医療冷蔵庫又はフリーザーに設置された第三種類のアンテナー配列レイアウト図。
【図７】は本考案の実施例に係る医療冷蔵庫又はフリーザーに設置された第四種類のアンテナー配列レイアウト図。
【図８】は本考案の実施例に係る医療冷蔵庫又はフリーザーに設置された第五種類のアンテナー配列レイアウト図。
【図９】は本考案の実施例に係る医療冷蔵庫又はフリーザーに設置された第六種類のアンテナー配列レイアウト図。
【考案を実施するための形態】
【０００８】
図1に示されているように、本考案の実施例に係る医療冷蔵庫又はフリーザーに保管している医療用品を管理制御するためのシステムのロジック構造図であって、当該システムは読み取り器10、二つのアンテナー1A、1B、医療用品に付着した電子タグ31、32、33、処理ユニット40を備え、処理ユニット40は例えばリモートコンピューター又はサーバーである。ここで説明すべきことは、図1には二つのアンテナー1A、1B、三つの電子タグ31、32、33のみが示されているが、本考案はこの数に限らず、実際の需要に基づき、アンテナーは二つ以上の任意の数であってもよく、一つの医療用品に一つのタグが付着しているため、医療用品の数に基づき電子タグの数を選択することができる。当該実施例において、例えば薬品、試薬、ワクチン等の医療用品は医療冷蔵庫又はフリーザーの保存空間内に保存されており、医療用品の電子タグには当該医療用品の識別コードが格納されているため、識別コードは唯一の当該医療用品と対応する1組のコードである。アンテナー1A、1Bは医療冷蔵庫又はフリーザーの外側の異なる場所に設置され、且つ医療用品の電子タグ31、32、33はアンテナー1Aと/又は1Bのビームがカバーする範囲内にある。読み取り器10は二つのアンテナー1A、1Bに接続され、処理ユニット40は読み取り器10に接続されている。当該システムが作動する時、読み取り器10はアンテナー1A、1Bを通じて電子タグ31、32、33を読み取り、且つ読み取った対応する医療用品の識別コードを処理ユニット40に送信し、処理ユニット40はアンテナー1A、1Bの設置場所及びそのビームのカバー範囲に基づき、保管空間における各医療用品の具体的な場所を判断することにより、使用者が迅速にある医療用品を探すことができ、これにより医療用品を探す時間を縮小することができ、医療冷蔵庫又はフリーザーをあまり長く開くことにより、冷却空気を大量に流失させ、温度が上昇することにより、医療冷蔵庫又はフリーザーに保管している他の医療用品の品質及び治療効果に影響を与えることを避ける。
【０００９】
図3に示されているように、本考案のもう一つの実施例に係る医療冷蔵庫又はフリーザーに保管している医療用品を管理制御するためのシステムのロジック構造図であって、当該システムは読み取り器10、十二個のアンテナー1A、1B、1C 、1D、2A、2B、2C、2D、3A、3B、3C、3D、高周波マルチプレクサー50、処理ユニット40を備え、さらに説明すべきことは図3には医療用品に付着した電子タグを示していないが、上述した実施例の中の電子タグを有していると理解すべきである。図2に合わせ、当該医療冷蔵庫は水平方向に三段に分けられ、各段の外側には四つのアンテナーが設置され、例えば、第一段の外側にはアンテナー1A、1B、1C 、1Dが設置され、第二段の外側にはアンテナー2A、2B、2C、2Dが設置され、第三段の外側にはアンテナー3A、3B、3C、3Dが設置されている。勿論、他の実施例において医療冷蔵庫又はフリーザーは他の数の段を含むことができる。図3に示された実施例において、高周波マルチプレクサー50の一端は読み取り器10に接続され、他端は指示された任務に基づき医療冷蔵庫又はフリーザーの対応する段に設置されたアンテナーを選択且つそれに接続されている。処理ユニット40は読み取り器10に接続され、且つ当該処理ユニット40は読み取り器が対応する段のアンテナーを通じて読み取った医療用品の識別コードを受信するのに用いられ、それに前記対応する段のアンテナーの設置場所及びそのビームのカバー範囲に基づき前記保管空間における医療用品の具体的な位置を判断することにより、使用者が迅速に当該医療用品を探すことができるようにする。例えば、第一段のある医療用品の位置を探知すると、高周波マルチプレクサー50は第一段のアンテナー1A、1B、1C 、1Dに接続し、スキャンの順番に従って順次アンテナー1A、1B、1C 、1Dを通じてそれぞれビームがカバーする範囲内にある医療用品の電子タグを読み取り、且つ読み取った医療用品の識別コードを処理ユニット40に送信する。例えば、一部の医療用品はアンテナー1Aのみに読み取られ、一部の医療用品はアンテナー1Bのみに読み取られ、一部の医療用品はアンテナー1Cのみに読み取られ、一部の医療用品はアンテナー1Dのみに読み取られ、一部の医療用品は同時にアンテナー1A、1Bに読み取られ、一部の医療用品は同時にアンテナー1B、1Cに読み取られ、一部の医療用品は同時にアンテナー1B、1C、1Dに読み取られ、このようにして読み取られた識別コードは異なるアンテナーの異なるビームカバー範囲を介して処理ユニット40に受信された後、処理ユニット40は異なるアンテナーの設置場所及びそのビームのカバー範囲に基づき対応する医療用品の具体的な場所を判断することができる。同様に、他の段における医療用品の場所の探知も同様で、説明を省略する。
【００１０】
好ましくは、医療用品の電子タグに当該医療用品周囲の環境温度を検出する温度センサーが内蔵している。読み取り器10が当該医療用品の電子タグを読み取ると同時に、検出した温度も読み取り、次に、処理ユニット40も内蔵された温度センサーにより検出した温度を受信し、且つ検出した温度に基づき冷蔵又は冷凍の環境温度がデフォルトの温度範囲を上回っているか否かを判断すると同時に、デフォルトの温度範囲を上回った時には警告情報を出力する。当該警告情報は携帯警告情報、ネットワーク警告情報、オーディオ又は文字情報を含む。
【００１１】
好ましくは、電子タグにはさらに対応する医療用品の余量が格納されている。読み取り器10が当該医療用品の電子タグを読み取ると同時に、当該医療用品の余量も読み取る。処理ユニット40はさらに当該医療用品の余量の受信に用いられ、且つ受信した当該医療用品の余量に基づき当該医療用品が十分に利用されているか否かを判断することによりコストに対し管理制御を行う。
【００１２】
好ましくは、電子タグにはさらに対応する医療用品の有効期限が格納されている。読み取り器10が当該医療用品の電子タグを読み取ると同時に、当該医療用品の有効期限も読み取る。処理ユニット40はさらに当該医療用品の有効期限の受信に用いられ、且つ受信した有効期限に基づき有効期限に達しているか否かを判断し、且つ有効期限に達する時に提示情報を表示する。
【００１３】
好ましくは、処理ユニット40はさらに前記医療冷蔵庫又はフリーザーの電源オフ時間を記録するのに用いられ、且つ前記電源が回復する時に前記電源オフ期間と電源回復時に採取した温度を通知する。例えば、音声、言語音、ショートメッセージ又は有線／無線ネットワークの方式により通知を発する。
【００１４】
一つの好ましい実施例において、医療冷蔵庫又はフリーザーに保管している医療用品を管理制御するためのシステムは読み取り器、アンテナー、高周波マルチプレクサー、リモートコンピューター及び医療用品に付着した電子タグを備えている。医療冷蔵庫又はフリーザーの保存空間は水平方向に幾つかの段に分けられ、薬品、試薬又はワクチンを含む医療用品は医療冷蔵庫又はフリーザーにおける各段の保存空間内に保存され、各医療品の電子タグには何れも対応する医療用品の識別コードが格納され、さらには品名、余量、有効期間も格納することができ、各電子タグには温度センサーが内蔵されている。以下、アンテナーの配置分布を説明する。図4に示されているように、第一種のアンテナー配置方式は保存空間の二つの側壁外にそれぞれ一つのアンテナーを設置するが、具体的には左側壁にアンテナー1Aを設置し、右側壁にアンテナー1Dを設置し、保存空間の後壁外に二つのアンテナー1B、1Cを設置する。図5に示されているように、第二種のアンテナー配置方式は保存空間の二つの側壁外にそれぞれ一つのアンテナーを設置するが、具体的には左側壁にアンテナー2Aを設置し、右側壁にアンテナー2Dを設置し、保存空間の後壁外に三つのアンテナー2B、2C、2Jを設置する。図6に示されているように、第三種のアンテナー配置方式は保存空間の二つの側壁外にそれぞれ二つのアンテナーを設置するが、具体的には左側壁にアンテナー3A、3Eを設置し、右側壁にアンテナー3D、3Fを設置し、保存空間の後壁外に二つのアンテナー3B、3Cを設置する。図7に示されているように、第四種のアンテナー配置方式は保存空間の二つの側壁外にそれぞれ二つのアンテナーを設置するが、具体的には左側壁にアンテナー4A、4Eを設置し、右側壁にアンテナー4D、4Fを設置し、保存空間の後壁外に三つのアンテナー4B、4C、4Jを設置する。図8に示されているように、第五種のアンテナー配置方式は保存空間の二つの側壁外にそれぞれ三つのアンテナーを設置するが、具体的には左側壁に三つのアンテナー5A、5E、5Gを設置し、右側壁に三つのアンテナー5D、5F、5Hを設置し、保存空間の後壁外に二つのアンテナー5B、5Cを設置する。図9に示されているように、第六種のアンテナー配置方式は保存空間の二つの側壁外にそれぞれ三つのアンテナーを設置するが、具体的には左側壁に三つのアンテナー6A、6E、6Gを設置し、右側壁に三つのアンテナー6D、6F、6Hを設置し、保存空間の後壁外に三つのアンテナー6B、6C、6Jを設置する。当該実施例において、高周波マルチプレクサー及びリモートコンピューターの機能及び接続関係は上述した実施例を参照することができ、ここで説明を省略する。
【００１５】
以下、当該実施例のシステムは如何に医療用品を管理制御するかを説明するが、具体的には下記のステップを含む。
【００１６】
S11、高周波マルチプレクサーは任務の指示に基づき対応する段に設置されたアンテナーを選択且つ接続する。
【００１７】
S12、読み取り器は対応する段のアンテナーを通じて前記対応する段の保存空間に保存している医療用品の電子タグをスキャンし、且つ読み取った識別コード、品名、余量、有効期間、及び検出した温度をリモートコンピューターに送信する。
【００１８】
S13、リモートコンピューターは読み取り器が読み取った医療用品の識別コード、品名、余量、有効期間、及び検出した温度を受信し、且つ前記対応する段にあるアンテナーの設置場所及びビームのカバー範囲に基づき前記保存空間における医療用品の具体的な場所を判断することにより、使用者が迅速に当該医療用品を探すことができるようにする。受信した医療用品の余量により当該医療用品が十分に利用されているか否かを判断し、さらにコストに対する管理制御を行う。受信した有効期限に基づき有効期限に達しているか否かを判断し、且つ有効期限に達する時に提示情報を表示する。検出した温度に基づき冷蔵又は冷凍の環境温度がデフォルトの温度範囲を上回っているか否かを判断すると同時に、デフォルトの温度範囲を上回った時には警告情報を出力するが、前記警告情報は携帯警告情報、ネットワーク警告情報、オーディオ又は文字情報を含む。
【００１９】
下記の表に合わせて医療用品の具体的な位置を判断するロジックを詳しく説明する。例えば、医療冷蔵庫又はフリーザーに設置された第一種類のアンテナー配列レイアウト図により探知すると、高周波マルチプレクサーは第一種の配列方式により設置されたアンテナー1A、1B、1C、1Dに接続し、読み取り器は順次アンテナー1A、1B、1C、1Dを通じて各アンテナーのビームのカバー範囲内にある医療用品の電子タグを読み取り、且つ処理ユニットに送信する。処理ユニットはこれらのアンテナーの設置場所及びぞれぞれのビームのカバー範囲に基づき医療用品の具体的な場所を判断することができ、使用者が迅速に医療用品を探すことができるようにする。例えば、ある医療用品の電子タグがアンテナー1A又は1B、もしくは同時にアンテナー1Aと1Bにより読み取り器に読み取られると、当該医療用品は当該医療用品は医療冷蔵庫又はフリーザーにおける第一種の配列方式のArea1に保存していることを示している。もし、もう一つの医療用品の電子タグがアンテナー1C又は1D、もしくは同時にアンテナー1Cと1Dにより読み取り器に読み取られると、当該医療用品は当該医療用品は医療冷蔵庫又はフリーザーにおける第一種の配列方式のArea2に保存していることを示している。同様に、第二種のアンテナー配列方式、第三種のアンテナー配列方式、第四種のアンテナー配列方式、第五種のアンテナー配列方式、第六種のアンテナー配列方式の判断ロジックは下記の表を参照し、且つそれによって推計すればよい。他の種のアンテナー配列方式により医療用品の場所を探知する場合、同様な方法を採用すればよく、具体的には下記の表を参照されたい。その内、“∩”は同時に二つのアンテナーにより読み取られていることを示している。
0003178858.tif 000003
【００２０】
ここで説明すべきことは、以上は本考案の一つの実施例で、医療冷蔵庫又はフリーザーにおけるアンテナーの配列方式は上述した六種類に限らず、且つ各段で設置したアンテナーの場所及び数も上述した実施例の分布に限らない。他の実施例において、医療冷蔵庫又はフリーザーで任意数のアンテナーを設置することができ、且つ各段で設置したアンテナーの数も何れも4から9の中の任意数又は他の数でもよい。
【図１】
0003178858.tif 000004
【図２】
0003178858.tif 000005
【図３】
0003178858.tif 000006
【図４】
0003178858.tif 000007
【図５】
0003178858.tif 000008
【図６】
0003178858.tif 000009
【図７】
0003178858.tif 000010
【図８】
0003178858.tif 000011
【図９】
0003178858.tif 000012